(57)【要約】本願は、カニューレ部品と、超音波切断作用を実現するメスハンドルを含む器具本体とを備えるカニューレ部品取り外し可能な超音波手術器具を提供する。前記カニューレ部品は取り外し可能な構造を通じて前記メスハンドルの縦軸線に沿って前記器具本体に対して着脱される。本願は、取り外し可能なカニューレ部品と、固定的な内側カニューレおよび超音波切断作用を実現可能なメスハンドルを含む器具本体とを備えるカニューレ部品取り外し可能な超音波手術器具をさらに提供する。本願のカニューレ部品取り外し可能な超音波手術器具は、従来技術と比較すると、構造が簡単で、着脱しやすく、使用コストが低い利点を有する。【選択図】図１３
2021507796.tif 000002
【特許請求の範囲】
【請求項１】
カニューレ部品と、超音波切断作用を実現するメスハンドルを含む器具本体とを備え、
前記カニューレ部品は取り外し可能な構造を通じて前記メスハンドルの縦軸線に沿って前記器具本体に対して着脱されるカニューレ部品取り外し可能な超音波手術器具。
【請求項２】
前記取り外し可能な構造は第１取り外し可能な構造を含み、前記器具本体と前記カニューレ部品とが少なくとも１つの前記第１取り外し可能な構造を通じて固定的に接続される請求項１に記載のカニューレ部品取り外し可能な超音波手術器具。
【請求項３】
前記第１取り外し可能な構造は第１ボス、第１制限溝、ストッパーおよび弾性部材を含む請求項２に記載のカニューレ部品取り外し可能な超音波手術器具。
【請求項４】
前記第１ボスは前記カニューレ部品上に配置され、前記第１制限溝、ストッパーおよび弾性部材は前記器具本体上に配置される請求項３に記載のカニューレ部品取り外し可能な超音波手術器具。
【請求項５】
前記第１制限溝はメスハンドルの縦軸に平行な水平溝とメスハンドルの縦軸に垂直な垂直溝を含み、
前記第１ボスは前記第１制限溝の水平溝内に前記メスハンドルの縦軸線方向に沿って摺動し、前記第１ボスも前記第１制限溝の垂直溝内に前記メスハンドルの縦軸線に垂直な方向に沿って摺動し、前記ストッパーは前記第１制限溝の水平溝内に前記メスハンドルの縦軸線方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項４に記載のカニューレ部品取り外し可能な超音波手術器具。
【請求項６】
前記第１制限溝はメスハンドルの縦軸線に垂直な水平溝とメスハンドルの縦軸線に平行な垂直溝を含み、
前記第１ボスは前記第１制限溝の垂直溝内に前記メスハンドルの縦軸線方向に沿って摺動し、前記第１ボスも前記第１制限溝の水平溝内に前記メスハンドルの縦軸線に垂直な方向に沿って摺動し、前記ストッパーは前記第１制限溝の水平溝内に前記メスハンドルの縦軸線に垂直な方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項４に記載のカニューレ部品取り外し可能な超音波手術器具。
【請求項７】
前記第１ボスは前記器具本体上に配置され、
前記第１制限溝、ストッパーおよび弾性部材は前記カニューレ部品上に配置される請求項３に記載のカニューレ部品取り外し可能な超音波手術器具。
【請求項８】
前記第１制限溝はメスハンドルの縦軸に平行な水平溝とメスハンドルの縦軸に垂直な垂直溝を含み、
前記第１ボスは前記第１制限溝の水平溝内に前記メスハンドルの縦軸線方向に沿って摺動し、前記第１ボスも前記第１制限溝の垂直溝内に前記メスハンドルの縦軸線に垂直な方向に沿って摺動し、前記ストッパーは前記第１制限溝の水平溝内に前記メスハンドルの縦軸線方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項７に記載のカニューレ部品取り外し可能な超音波手術器具。
【請求項９】
前記第１制限溝はメスハンドルの縦軸線に垂直な水平溝とメスハンドルの縦軸線に平行な垂直溝を含み、
前記第１ボスは前記第１制限溝の垂直溝内に前記メスハンドルの縦軸線方向に沿って摺動し、前記第１ボスも前記第１制限溝の水平溝内に前記メスハンドルの縦軸線に垂直な方向に沿って摺動し、前記ストッパーは前記第１制限溝の水平溝内に前記メスハンドルの縦軸線に垂直な方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項７に記載のカニューレ部品取り外し可能な超音波手術器具。
【請求項１０】
前記カニューレ部品は内側カニューレ、外側カニューレおよび遠位に配置されるクランプを含み、
前記外側カニューレ、前記内側カニューレはすべて前記メスハンドルと同軸に配置され、
前記クランプは前記外側カニューレと第１回転軸を介して回転可能に接続され、かつ前記内側カニューレと第２回転軸を介して回転可能に接続されることにより、前記内側カニューレを軸方向に沿って前後に引っ張ると、クランプが第１回転軸を中心に回転する請求項５、６、８、９のいずれか１項に記載のカニューレ部品取り外し可能な超音波手術器具。
【請求項１１】
前記取り外し可能な構造は、第２取り外し可能な構造をさらに含み、前記器具本体と前記カニューレ部品の内側カニューレとが少なくとも１つの前記第２取り外し可能な構造によって駆動可能に接続される請求項１０に記載のカニューレ部品取り外し可能な超音波手術器具。
【請求項１２】
前記第２取り外し可能な構造は第２制限溝と第２ボスを含む請求項１１に記載のカニューレ部品取り外し可能な超音波手術器具。
【請求項１３】
カニューレ部品の器具本体に対する着脱中に、前記第１取り外し可能な構造の運動に従い前記第２取り外し可能な構造が運動し、前記第１取り外し可能な構造上の第１ボスが前記第１制限溝に入る直前に、前記第２取り外し可能な構造の前記第２ボスも前記第２制限溝に入る直前状態にあり、前記第１取り外し可能な構造上の前記第１ボスが第１制限溝の水平溝と垂直溝の交差点に入ったときに、前記第２取り外し可能な構造の前記第２ボスも前記第２制限溝の水平溝と垂直溝の交差点に入った状態にあり、前記外側カニューレが回転すると、前記第１取り外し可能な構造上の前記第１ボスが完全に前記第１制限溝の水平溝から垂直溝に入るまたは垂直溝から水平溝に入る時に、前記内側カニューレも回転し、前記第２取り外し可能な構造の前記第２ボスも完全に前記第２制限溝の水平溝から垂直溝に入るまたは垂直溝から水平溝に入る請求項１２に記載のカニューレ部品取り外し可能な超音波手術器具。
【請求項１４】
前記第２制限溝は前記内側カニューレ上に配置され、前記第２ボスは前記器具本体上に配置される請求項１３に記載のカニューレ部品取り外し可能な超音波手術器具。
【請求項１５】
前記第２制限溝の水平溝は前記メスハンドルの縦軸線方向に沿い、
前記第２制限溝の垂直溝は前記メスハンドルの縦軸線方向に垂直し、
前記第２ボスは前記第２制限溝の水平溝内に前記メスハンドルの縦軸線方向に沿って摺動し、前記第２制限溝の垂直溝内に前記メスハンドルの縦軸線に垂直な方向に摺動することができる請求項１４に記載のカニューレ部品取り外し可能な超音波手術器具。
【請求項１６】
前記第２制限溝の垂直溝は前記メスハンドルの縦軸線方向に沿い、前記第２制限溝の水平溝は前記メスハンドルの縦軸線方向に垂直し、前記第２ボスは前記第２制限溝の垂直溝内に前記メスハンドルの縦軸線方向に沿って摺動し、前記第２制限溝の水平溝内に前記メスハンドルの縦軸線に垂直な方向に摺動することができる請求項１４に記載のカニューレ部品取り外し可能な超音波手術器具。
【請求項１７】
前記第２制限溝は前記器具本体上に配置され、前記第２ボスは前記内側カニューレ上に配置される請求項１３に記載のカニューレ部品取り外し可能な超音波手術器具。
【請求項１８】
前記第２制限溝の水平溝は前記メスハンドルの縦軸線方向に沿い、
前記第２制限溝の垂直溝は前記メスハンドルの縦軸線方向に垂直し、
前記第２ボスは前記第２制限溝の水平溝内に前記メスハンドルの縦軸線方向に沿って摺動し、前記第２制限溝の垂直溝内に前記メスハンドルの縦軸線に垂直な方向に沿って摺動することができる請求項１７に記載のカニューレ部品取り外し可能な超音波手術器具。
【請求項１９】
前記第２制限溝の垂直溝は前記メスハンドルの縦軸線方向に沿い、
前記第２制限溝の水平溝は前記メスハンドルの縦軸線方向に垂直し、
前記第２ボスは前記第２制限溝の垂直溝内に前記メスハンドルの縦軸線方向に沿って摺動し、前記第２制限溝の水平溝内に前記メスハンドルの縦軸線に垂直な方向に沿って摺動することができる請求項１７に記載のカニューレ部品取り外し可能な超音波手術器具。
【請求項２０】
前記カニューレ部品は外側カニューレ固定部材および内側カニューレ固定部材をさらに含み、
前記外側カニューレ固定部材と前記外側カニューレが固定的に接続され、
前記内側カニューレ固定部材と前記内側カニューレが固定的に接続される請求項１５、１６、１８、１９のいずれか１項に記載のカニューレ部品取り外し可能な超音波手術器具。
【請求項２１】
前記第１ボスは前記外側カニューレ固定部材上に配置され、
前記第２制限溝は前記内側カニューレ固定部材上に配置される請求項２０に記載のカニューレ部品取り外し可能な超音波手術器具。
【請求項２２】
前記器具本体上に固定ベースが配置され、
前記第１制限溝が前記固定ベース上に配置され、
前記固定ベース上にダイアルおよび前記弾性部材が取り付けられ、
前記ストッパーが前記ダイアル上に配置され、前記ダイアルは前記ストッパーを駆動して第１制限溝の水平溝方向に沿って前記弾性部材の弾性力を打ち勝って移動させ、前記ストッパーにより第１制限溝の前記水平溝と前記垂直溝の交差開口を開く請求項２１に記載のカニューレ部品取り外し可能な超音波手術器具。
【請求項２３】
前記器具本体上に駆動ベースが接続され、前記第２ボスが該駆動ベース上に配置され、器具本体上の手動制御手段により前記駆動ベースおよび前記第２ボスをメスハンドルの軸線方向に沿って前後運動するように駆動する請求項２２に記載のカニューレ部品取り外し可能な超音波手術器具。
【請求項２４】
前記第１ボスは外側丸みボスまたは内側丸みボスであり得る請求項３〜９、１１〜１９、２１〜２３のいずれか１項に記載のカニューレ部品取り外し可能な超音波手術器具。
【請求項２５】
前記第２ボスは外側丸みボスまたは内側丸みボスであり得る請求項１２〜１９、２１〜２３のいずれか１項に記載のカニューレ部品取り外し可能な超音波手術器具。
【請求項２６】
取り外し可能なカニューレ部品と、固定的な内側カニューレおよび超音波切断作用を実現するメスハンドルとを備える器具本体とを含み、
前記取り外し可能なカニューレ部品はメスハンドルの軸線に沿って器具本体に対して着脱されるカニューレ部品取り外し可能な超音波手術器具。
【請求項２７】
前記取り外し可能なカニューレ部品は、外側カニューレ、取り外し可能な内側カニューレ、および遠位に配置されるクランプを含み、
前記外側カニューレ、前記取り外し可能な内側カニューレはすべて前記メスハンドルと同軸に配置され、
前記クランプは前記外側カニューレと第１回転軸を介して回転可能に接続、かつ前記取り外し可能な内側カニューレと第２回転軸を介して回転可能に接続され、
前記取り外し可能な内側カニューレを軸方向に沿って前後に引っ張る、クランプが第１回転軸を中心に回転する請求項２６に記載のカニューレ部品取り外し可能な超音波手術器具。
【請求項２８】
前記取り外し可能な内側カニューレは前記取り外し可能なカニューレ部品の遠位端に配置され、前記外側カニューレは前記取り外し可能なカニューレ部品の近位端から遠位端まで延伸する請求項２７に記載のカニューレ部品取り外し可能な超音波手術器具。
【請求項２９】
前記取り外し可能な構造は第１取り外し可能な構造および第２取り外し可能な構造を含み、
前記器具本体と前記取り外し可能なカニューレ部品とが前記第１取り外し可能な構造を通じて固定的に接続され、
前記器具本体と前記取り外し可能なカニューレ部品とが前記第２取り外し可能な構造を通じて駆動可能に接続される請求項２６に記載のカニューレ部品取り外し可能な超音波手術器具。
【請求項３０】
前記第１取り外し可能な構造は第１ボス、第１制限溝、ストッパーおよび弾性部材を含む請求項２９に記載のカニューレ部品取り外し可能な超音波手術器具。
【請求項３１】
前記第１ボスは前記取り外し可能なカニューレ部品上に配置され、前記第１制限溝、ストッパーおよび弾性部材は前記器具本体上に配置される請求項３０に記載のカニューレ部品取り外し可能な超音波手術器具。
【請求項３２】
前記第１制限溝はメスハンドルの縦軸に平行な水平溝とメスハンドルの縦軸に垂直な垂直溝を含み、
前記第１ボスは前記第１制限溝の水平溝内に前記メスハンドルの縦軸線方向に沿って摺動し、前記第１ボスも前記第１制限溝の垂直溝内に前記メスハンドルの縦軸線に垂直な方向に沿って摺動し、前記ストッパーは前記第１制限溝の水平溝内に前記メスハンドルの縦軸線方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項３１に記載のカニューレ部品取り外し可能な超音波手術器具。
【請求項３３】
前記第１制限溝はメスハンドルの縦軸線に垂直な水平溝とメスハンドルの縦軸線に平行な垂直溝を含み、
前記第１ボスは前記第１制限溝の垂直溝内に前記メスハンドルの縦軸線方向に沿って摺動し、前記第１ボスも前記第１制限溝の水平溝内に前記メスハンドルの縦軸線に垂直な方向に沿って摺動し、前記ストッパーは前記第１制限溝の水平溝内に前記メスハンドルの縦軸線に垂直な方向に沿って摺動するが前記第１制限溝の垂直溝内に入ることができないように配置され、前記ストッパーは前記弾性部材に接続され、前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項３１に記載のカニューレ部品取り外し可能な超音波手術器具。
【請求項３４】
前記第１ボスは前記器具本体上に配置され、前記第１制限溝、ストッパーおよび弾性部材は前記取り外し可能なカニューレ部品上に配置される請求項３０に記載のカニューレ部品取り外し可能な超音波手術器具。
【請求項３５】
前記第１制限溝はメスハンドルの縦軸に平行な水平溝とメスハンドルの縦軸に垂直な垂直溝を含み、
前記第１ボスは前記第１制限溝の水平溝内に前記メスハンドルの縦軸線方向に沿って摺動し、前記第１ボスも前記第１制限溝の垂直溝内に前記メスハンドルの縦軸線に垂直な方向に沿って摺動し、前記ストッパーは前記Ｔ字形の制限溝の水平溝内に前記メスハンドルの縦軸線方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項３４に記載のカニューレ部品取り外し可能な超音波手術器具。
【請求項３６】
前記第１制限溝はメスハンドルの縦軸線に垂直な水平溝とメスハンドルの縦軸線に平行な垂直溝を含み、
前記第１ボスは前記第１制限溝の垂直溝内に前記メスハンドルの縦軸線方向に沿って摺動し、前記第１ボスも前記第１制限溝の水平溝内に前記メスハンドルの縦軸線に垂直な方向に沿って摺動し、前記ストッパーは前記第１制限溝の水平溝内に前記メスハンドルの縦軸線に垂直な方向に沿って摺動するが前記第１制限溝の垂直溝内に入ることができないように配置され、
前記ストッパーは前記弾性部材に接続され、
前記弾性部材は前記第１制限溝の水平溝方向に向かう弾性力を提供し、該弾性部材の弾性力の作用下で前記ストッパーは初期状態で第１制限溝の水平溝と垂直溝構造の交差点に位置する請求項３４に記載のカニューレ部品取り外し可能な超音波手術器具。
【請求項３７】
前記取り外し可能なカニューレ部品は内側カニューレ、外側カニューレおよび遠位に配置されるクランプを含み、
前記外側カニューレ、前記内側カニューレはすべて前記メスハンドルと同軸に配置され、前記クランプは前記外側カニューレと第１回転軸を介して回転可能に接続され、かつ前記内側カニューレと第２回転軸を介して回転可能に接続され、前記内側カニューレを軸方向に沿って前後に引っ張る、クランプが第１回転軸を中心に回転する請求項３２、３３、３５、３６のいずれか１項に記載のカニューレ部品取り外し可能な超音波手術器具。
【請求項３８】
前記器具本体のハウジング上に固定ベースが設けられ、
前記Ｔ字形の制限溝は前記固定ベース上に配置され、
前記固定ベース上にダイアルおよび前記弾性部材が取り付けられ、
前記ストッパーが前記ダイアル上に配置され、
前記ダイアルは前記ストッパーを駆動して第１制限溝の水平溝方向に沿って前記弾性部材の弾性力を打ち勝って移動させ、前記ストッパーにより第１制限溝の前記水平溝と前記垂直溝の交差開口を開く請求項３２または３３のいずれか１項に記載のカニューレ部品取り外し可能な超音波手術器具。
【請求項３９】
前記第１ボスは外側丸みボスまたは内側丸みボスであり得る請求項３０〜３６のいずれか１項に記載のカニューレ部品取り外し可能な超音波手術器具。
【請求項４０】
前記器具本体の固定的な内側カニューレと前記取り外し可能な内側カニューレとが前記第２取り外し可能な構造を通じて駆動可能に接続される請求項３０に記載のカニューレ部品取り外し可能な超音波手術器具。
【請求項４１】
前記第２取り外し可能な構造は第２制限溝と第２ボスを含む請求項４０に記載のカニューレ部品取り外し可能な超音波手術器具。
【請求項４２】
取り外し可能なカニューレ部品の器具本体に対する着脱中に、前記第１取り外し可能な構造の運動に従い前記第２取り外し可能な構造が運動し、前記第１取り外し可能な構造上の第１ボスが前記第１制限溝に入る直前に、前記第２取り外し可能な構造の前記第２ボスも前記第２制限溝に入る直前状態にあり、前記第１取り外し可能な構造上の前記第１ボスがＴ字形の制限溝の水平溝と垂直溝の交差点に入ったときに、前記第２取り外し可能な構造の前記第２ボスも前記第２制限溝の水平溝と垂直溝の交差点に入った状態にあり、前記第１取り外し可能な構造上の前記第１ボスが完全に前記第１制限溝の水平溝から垂直溝に入るまたは垂直溝から水平溝に入るときに、前記第２取り外し可能な構造の前記第２ボスも完全に前記第２制限溝の水平溝から垂直溝に入るまたは垂直溝から水平溝に入る請求項４１に記載のカニューレ部品取り外し可能な超音波手術器具。
【請求項４３】
前記第２制限溝の水平溝は前記メスハンドルの縦軸線方向に沿い、
前記第２制限溝の垂直溝は前記メスハンドルの縦軸線方向に垂直し、前記第２ボスは前記第２制限溝の水平溝内に前記メスハンドルの縦軸線方向に沿って摺動し、前記第２制限溝の垂直溝内に前記メスハンドルの縦軸線に垂直な方向に沿って摺動することができる請求項４１に記載のカニューレ部品取り外し可能な超音波手術器具。
【請求項４４】
前記第２制限溝の垂直溝は前記メスハンドルの縦軸線方向に沿い、前記第２制限溝の水平溝は前記メスハンドルの縦軸線方向に垂直し、前記第２ボスは前記第２制限溝の垂直溝内に前記メスハンドルの縦軸線方向に沿って摺動し、前記第２制限溝の水平溝内に前記メスハンドルの縦軸線に垂直な方向に沿って摺動することができる請求項４１に記載のカニューレ部品取り外し可能な超音波手術器具。
【請求項４５】
前記第２制限溝は前記取り外し可能なカニューレ部品上に配置され、
前記第２ボスは前記器具本体上に配置される請求項４３または４４に記載のカニューレ部品取り外し可能な超音波手術器具。
【請求項４６】
前記第２制限溝は前記器具本体上に配置され、
前記第２ボスは前記取り外し可能なカニューレ部品上に配置される請求項４３または４４に記載のカニューレ部品取り外し可能な超音波手術器具。
【請求項４７】
前記第２制限溝は前記取り外し可能な内側カニューレ上に配置され、
前記第２ボスは前記器具本体の固定的な内側カニューレ上に配置される請求項４５に記載のカニューレ部品取り外し可能な超音波手術器具。
【請求項４８】
前記固定的な内側カニューレと前記メスハンドルとが遠位端のシールリングを介して封止され、
前記固定的な内側カニューレと前記取り外し可能なカニューレ部品とが近位端のシールリングを介して封止される請求項２７〜３６、４０〜４４、４７のいずれか１項に記載のカニューレ部品取り外し可能な超音波手術器具。
【請求項４９】
前記遠位端シールリングはシリコーンリングである請求項４８に記載のカニューレ部品取り外し可能な超音波手術器具。
【請求項５０】
前記遠位端シールリングと前記メスハンドルとの封止接続箇所の一方にシャフトショルダーが設けられ、他方には周辺溝構造が設けられ、
前記シャフトショルダーと前記周辺溝構造が緊密に係合される請求項４８に記載のカニューレ部品取り外し可能な超音波手術器具。
【請求項５１】
前記固定的な内側カニューレの近位端に内側カニューレ固定部材が配置され、
前記近位端シールリングは、内側カニューレ固定部材と外側カニューレ固定部材により挟まれるように内側カニューレ固定部材の溝に取り付けられる請求項４８に記載のカニューレ部品取り外し可能な超音波手術器具。
【請求項５２】
前記第２ボスは外側丸みボスまたは内側丸みボスであり得る請求項４１〜４４、４７、４９〜５１のいずれか１項に記載のカニューレ部品取り外し可能な超音波手術器具。
【発明の詳細な説明】
【技術分野】
【０００１】
本願は、外科用手術器具に関し、具体的には、カニューレ部品取り外し可能な超音波手術器具に関する。
【背景技術】
【０００２】
低侵襲手術の普及により、超音波メスはよく使われる通常の手術器具になっている。超音波メスは、超音波周波数発生器によりメスヘッドを一定の超音波周波数で機械的に振動させ、組織内の水分子を蒸発させ、タンパク質水素結合を破壊し、細胞を分解して、組織を切断または固化し、血管を閉鎖する。超音波メスにより、組織切断と凝固を同時に行うことができ、横方向の熱損傷が少なくなる。
超音波メスは、主に超音波周波数発生器、トランスデューサー、手術器具で構成される。その中に、超音波周波数発生器は振動電気信号を送信し、トランスデューサーは振動電気信号を機械的振動に変換し、手術器具はトランスデューサーの機械的振動を使用して組織を切断および凝固させる。手術器具は通常、メスハンドル、メスヘッド（メスハンドル頭部の切断箇所）とともにクランプ構造を形成するクランプ、メスハンドル外部を囲むカニューレ、グリップ、および把持機構で構成される。メスハンドルはトランスデューサーの機械的振動をメスヘッドに伝達し、メスヘッドはクランプと連携して組織をクランプし、切断および凝固機能を実現し、カニューレはメスハンドルを外部から隔離してメスハンドルを保護および支持する作用を果たす一方、クランプとともにリンク機構を形成してクランプの開閉を駆動し、グリップおよび把持機構は医師の手で把持され、クランプを開閉し、且つ超音波周波数発生器の振動電気信号の出力のＯＮ・ＯＦＦを制御するためのスイッチが設けられる。
【０００３】
現在、市場で主流の超音波メスとして、その手術器具のカニューレは外側カニューレと内側カニューレで構成され、メスハンドルは内側カニューレ内に位置する。内外側カニューレ間に、内側カニューレとメスハンドル間の隙間が相対的に小さい。手術が完了したと、血液または間質液が内外側カニューレ間または内側カニューレとメスハンドル間の隙間に入り、隙間が非常に小さく狭いため、隙間に入った血液または間質液をきれいに洗浄できない。したがって、手術器具の構造と性能がまだ良好であっても、再使用することはできず、使い捨て器具としてのみ使用できるため、その使用コストは非常に高くなる。
【０００４】
手術器具を複数回再使用して使用コストを削減するめに、カニューレ、メスハンドル、クランプは交換可能な部品構造として設計されており、１回だけ使用でき、他の部品は複数回重複使用できる提案がある。このような設計により、使用コストをある程度削減できるが、カニューレ、メスハンドル、クランプなどの部品のコストが手術器具のコストの大部分を占めるため、コスト削減効果は非常に限られている。また、カニューレとクランプは交換可能な部品に設計され、１回だけ使用でき、メスハンドルを含むその他の部品は複数回重複使用でき、効果的に使用コストを削減することができる提案がある。しかしながら、この技術手段には多くの部品が含まれ、着脱には不便である。さらに、内側カニューレを近位端と遠位端の２つの部分に分け、遠位端の内側カニューレと外側カニューレ、クランプは着脱可能に交換することができ、近位端の内側カニューレとメスハンドル、グリップ等の他の部材は重複使用できる提案もある。しかしながら、遠位端内側カニューレの接続構造と近位端の外側カニューレの接続構造は比較的に複雑であり、その具現は困難である。
【発明の概要】
【０００５】
上記の技術的問題を解決するために、本願は、カニューレ部品取り外し可能な超音波手術器具を提供し、従来技術と比較すると、構造が簡単で、着脱しやすく、使用コストが低い利点を有する。
【０００６】
本願の第１態様によれば、カニューレ部品と、超音波切断作用を実現するメスハンドルを含む器具本体とを備え、前記カニューレ部品は取り外し可能な構造を通じて前記メスハンドルの縦軸線に沿って前記器具本体に対して着脱されるカニューレ部品取り外し可能な超音波手術器具を提供する。
さらに、前記取り外し可能な構造は第１取り外し可能な構造を含み、前記器具本体と前記カニューレ部品とが少なくとも１つの前記第１取り外し可能な構造を通じて固定的に接続される。
さらに、前記第１取り外し可能な構造は第１ボス、第１制限溝、ストッパーおよび弾性部材を含む。
好ましくは、前記第１制限溝はＴ字形の制限溝である。
さらに、前記第１ボスは前記カニューレ部品上に配置され、前記第１制限溝、ストッパーおよび弾性部材は前記器具本体上に配置される。これに加えて、前記第１ボスは前記器具本体上に配置され、前記Ｔ字形の制限溝、ストッパーと弾性部材は前記カニューレ部品上に配置されてもよい。
【０００７】
１つの発明を実施するための形態では、前記Ｔ字形の制限溝はメスハンドルの縦軸に平行な水平溝とメスハンドルの縦軸に垂直な垂直溝を含み、前記第１ボスは前記Ｔ字形の制限溝の水平溝内に前記メスハンドルの縦軸線方向に沿って摺動し、前記第１ボスも前記Ｔ字形の制限溝の垂直溝内に前記メスハンドルの縦軸線に垂直な方向に沿って摺動することができ、前記ストッパーは前記Ｔ字形の制限溝の水平溝内に前記メスハンドルの縦軸線方向に沿って摺動するが、前記Ｔ字形の制限溝の垂直溝内に入ることができないように配置され、前記ストッパーは前記弾性部材に接続され、前記弾性部材は前記Ｔ字形の制限溝の水平溝方向に沿う弾性力を提供し、該弾性部材の弾性力の作用下で前記ストッパーは初期状態下でＴ字形の制限溝の水平溝と垂直溝構造の交差点に位置する。
【０００８】
もう１つの発明を実施するための形態では、前記Ｔ字形の制限溝はメスハンドルの縦軸に垂直な水平溝とメスハンドルの縦軸に平行な垂直溝を含み、前記第１ボスは前記Ｔ字形の制限溝の垂直溝内に前記メスハンドルの縦軸線方向に沿って摺動し、前記第１ボスも前記Ｔ字形の制限溝の水平溝内に前記メスハンドルの縦軸線に垂直な方向に沿って摺動することができ、前記ストッパーは前記Ｔ字形の制限溝の水平溝内に前記メスハンドルの縦軸線に垂直な方向に沿って摺動するが前記Ｔ字形の制限溝の垂直溝内に入ることができないように配置され、前記ストッパーは前記弾性部材に接続され、前記弾性部材は前記Ｔ字形の制限溝の水平溝方向に沿う弾性力を提供し、該弾性部材の弾性力の作用下で前記ストッパーは初期状態下でＴ字形の制限溝の水平溝と垂直溝構造の交差点に位置する。
好ましくは、前記第１ボスは外側丸みボスまたは内側丸みボスである。
【０００９】
本願の第２態様によれば、カニューレ部品と、超音波切断作用を実現するメスハンドルを含む器具本体とを備え、前記カニューレ部品は取り外し可能な構造を通じて前記メスハンドルの縦軸線に沿って前記器具本体に対して着脱されるカニューレ部品取り外し可能な超音波手術器具を提供する。
さらに、前記カニューレ部品は内側カニューレ、外側カニューレおよび遠位に配置されるクランプを含む。前記外側カニューレ、前記内側カニューレはすべて前記メスハンドルと同軸に配置され、前記クランプは前記外側カニューレと第１回転軸を介して回転可能に接続され、前記内側カニューレと第２回転軸を介して回転可能に接続、前記内側カニューレを軸方向に沿って前後に引っ張ると、クランプが第１回転軸を中心に回転する。
【００１０】
一実施形態では、前記取り外し可能な構造は第１取り外し可能な構造および第２取り外し可能な構造を含む、前記器具本体と前記カニューレ部品とが前記第１取り外し可能な構造を通じて固定的に接続され、前記器具本体と前記カニューレ部品とが前記第２取り外し可能な構造を通じて駆動可能に接続される。
好ましくは、前記器具本体と前記外側カニューレとが前記第１取り外し可能な構造を通じて固定的に接続され、前記器具本体と前記内側カニューレとが前記第２取り外し可能な構造を通じて駆動可能に接続される。
さらに、前記第１取り外し可能な構造は前記外側カニューレに配置される第１ボス、器具本体上に配置される第１制限溝、ストッパーおよび弾性部材を含む。
好ましくは、前記第１制限溝はＴ字形の制限溝である。
好ましくは、前記カニューレ部品は外側カニューレ固定部材および内側カニューレ固定部材をさらに含み、前記外側カニューレ固定部材と前記外側カニューレとは固定的に接続され、前記内側カニューレ固定部材と前記内側カニューレとは固定的に接続され、前記第１ボスは前記外側カニューレ固定部材上に配置される。
【００１１】
１つの発明を実施するための形態では、前記Ｔ字形の制限溝はメスハンドルの縦軸線に平行な水平溝とメスハンドルの縦軸線に垂直な垂直溝とを含み、前記第１ボスは前記Ｔ字形の制限溝の水平溝内に前記メスハンドルの縦軸線方向に沿って摺動し、前記第１ボスも前記Ｔ字形の制限溝の垂直溝内に前記メスハンドルの縦軸線に垂直な方向に沿って摺動することができ、前記ストッパーは前記Ｔ字形の制限溝の水平溝内に前記メスハンドルの縦軸線方向に沿って摺動するが、前記Ｔ字形の制限溝の垂直溝内に入ることができないように配置され、前記ストッパーは前記弾性部材に接続され、前記弾性部材は前記Ｔ字形の制限溝の水平溝方向に沿う弾性力を提供し、該弾性部材の弾性力の作用下で前記ストッパーは初期状態下でＴ字形の制限溝の水平溝と垂直溝構造の交差点に位置する。
【００１２】
もう１つの発明を実施するための形態では、前記Ｔ字形の制限溝はメスハンドルの縦軸線に垂直な水平溝とメスハンドルの縦軸線に平行な垂直溝を含み、前記第１ボスは前記Ｔ字形の制限溝の垂直溝内に前記メスハンドルの縦軸線方向に沿って摺動し、前記第１ボスも前記Ｔ字形の制限溝の水平溝内に前記メスハンドルの縦軸線に垂直な方向に沿って摺動することができ、前記ストッパーは前記Ｔ字形の制限溝の水平溝内に前記メスハンドルの縦軸線に垂直な方向に沿って摺動するが、前記Ｔ字形の制限溝の垂直溝内に入ることができないように配置され、前記ストッパーは前記弾性部材に接続され、前記弾性部材は前記Ｔ字形の制限溝の水平溝方向に沿う弾性力を提供し、該弾性部材の弾性力の作用下で前記ストッパーは初期状態下でＴ字形の制限溝の水平溝と垂直溝構造の交差点に位置する。
さらに、前記器具本体上に固定ベースが配置され、前記Ｔ字形の制限溝は前記固定ベース上に配置される。
さらに、前記第１制限溝が前記固定ベース上に配置され、前記固定ベース上にダイアルおよび前記弾性部材が取り付けられ、前記ストッパーが前記ダイアル上に配置され、前記ダイアルは前記ストッパーを駆動して第１制限溝の水平溝方向に沿って前記弾性部材の弾性力を打ち勝って移動させ、前記ストッパーにより第１制限溝の前記水平溝と前記垂直溝の交差開口を開く。
【００１３】
さらに、前記ダイアルは前記ストッパーを駆動してＴ字形の制限溝の水平溝方向に沿って前記弾性部材の弾性力を打ち勝って移動させ、前記ストッパーによりＴ字形の制限溝の前記水平溝と前記垂直溝の交差開口を開き、前記第１ボスが前記Ｔ字形の制限溝の前記水平溝から前記垂直溝に摺動し、または前記垂直溝から前記水平溝に摺動し、その後前記ダイアルは前記弾性部材の弾性力の作用下で前記ストッパーを駆動してＴ字形の制限溝の水平溝方向に沿って移動させ、前記ストッパーが前記Ｔ字形の制限溝の前記水平溝と前記垂直溝の交差開口に位置し、前記第１ボスが前記垂直溝または前記水平溝から脱出できなくなり、これにより前記器具本体と前記外側カニューレ間の固定接続を実現することができる。
さらに、前記第１ボスは外側丸みボスまたは内側丸みボスである。
【００１４】
一実施形態では、前記第２取り外し可能な構造は前記カニューレ部品上に配置される第２制限溝と前記器具本体上に配置される第２ボスを含む。
好ましくは、前記第２制限溝はＬ字形の制限溝である。
好ましくは、前記Ｌ字形の制限溝は前記内側カニューレ上に配置される。
さらに、前記Ｌ字形の制限溝の水平溝は前記メスハンドルの軸線方向に沿い、前記Ｌ字形の制限溝の垂直溝は前記メスハンドルの縦軸線方向に垂直し、前記第２ボスは前記Ｌ字形の制限溝の水平溝内に前記メスハンドルの縦軸線方向に沿って摺動し、前記Ｌ字形の制限溝の垂直溝内に前記メスハンドルの縦軸線に垂直な方向に沿って摺動することができる。
これに加えて、前記Ｌ字形の制限溝の垂直溝は前記メスハンドルの縦軸線方向に沿い、前記Ｌ字形の制限溝の水平溝は前記メスハンドルの縦軸線方向に垂直し、前記第２ボスは前記Ｌ字形の制限溝の垂直溝内に前記メスハンドルの縦軸線方向に沿って摺動し、前記Ｌ字形の制限溝の水平溝内に前記メスハンドルの縦軸線に垂直な方向に沿って摺動してもよい。
【００１５】
好ましくは、前記器具本体上に駆動ベースが接続され、前記第２ボスは該駆動ベース上に配置され、前記駆動ベースおよび前記第２ボスは器具本体上の手動制御手段によって駆動されメスハンドルの軸線方向に沿って前後運動することができる。
さらに、カニューレ部品の器具本体に対する着脱中、前記第１取り外し可能な構造の運動に従い、前記第２取り外し可能な構造は運動する。
【００１６】
具体的には、前記第１取り外し可能な構造上の第１ボスが前記Ｔ字形の制限溝に入る直前に、前記第２取り外し可能な構造の前記第２ボスも前記Ｌ字形の制限溝に入る直前の状態にあり、前記第１取り外し可能な構造上の前記第１ボスがＴ字形の制限溝の水平溝と垂直溝の交差点に入ったときに、前記第２取り外し可能な構造の前記第２ボスも前記Ｌ字形の制限溝の水平溝と垂直溝の交差点に入った状態にあり、前記外側カニューレが回転すると、前記第１取り外し可能な構造上の前記第１ボスが完全に前記Ｔ字形の制限溝の水平溝から垂直溝に入るまたは垂直溝から水平溝に入るときに、前記内側カニューレも回転し、前記第２取り外し可能な構造の前記第２ボスも完全に前記Ｌ字形の制限溝の水平溝から垂直溝に入るまたは垂直溝から水平溝に入る。
さらに、前記第２ボスは外側丸みボスまたは内側丸みボスである。
選択可能に、前記第１取り外し可能な構造と前記第２取り外し可能な構造は交換可能であり、すなわち、前記第１取り外し可能な構造は第２ボスと前記Ｌ字形の制限溝を含んでもよい。
選択可能に、前記第１ボスと前記Ｔ字形の制限溝の位置は逆にされてもよい。
選択可能に、前記第２ボスと前記Ｌ字形の制限溝の位置は逆にされてもよい。
【００１７】
本願の第３態様によれば、取り外し可能なカニューレ部品と、固定的な内側カニューレおよび超音波切断作用を実現するメスハンドルを含む器具本体とを備え、前記取り外し可能なカニューレ部品はメスハンドルの軸線に沿って器具本体に対して着脱されるカニューレ部品取り外し可能な超音波手術器具を提供する。
【００１８】
さらに、前記取り外し可能なカニューレ部品は外側カニューレ、取り外し可能な内側カニューレ、および遠位に配置されるクランプを含み、前記外側カニューレ、前記取り外し可能な内側カニューレはすべて前記メスハンドルと同軸に配置され、前記クランプは前記外側カニューレと第１回転軸を介して回転可能に接続され、前記取り外し可能な内側カニューレと第２回転軸を介して回転可能に接続され、前記取り外し可能な内側カニューレを沿軸方向に沿って前後に引っ張ると、クランプを第１回転軸を中心に回転させる。
【００１９】
一実施形態では、前記取り外し可能な構造は第１取り外し可能な構造および第２取り外し可能な構造を含み、前記器具本体と前記取り外し可能なカニューレ部品とが前記第１取り外し可能な構造を通じて固定的に接続され、前記器具本体と前記取り外し可能なカニューレ部品とが前記第２取り外し可能な構造を通じて駆動可能に接続される。
さらに、前記取り外し可能な内側カニューレは前記取り外し可能なカニューレ部品の遠位端に配置され、前記外側カニューレは前記取り外し可能なカニューレ部品の近位端から遠位端まで延伸する。
さらに、前記第１取り外し可能な構造は第１ボス、第１制限溝、ストッパーおよび弾性部材を含む。
さらに、前記器具本体の固定的な内側カニューレと前記カニューレ部品の取り外し可能な内側カニューレとが前記第２取り外し可能な構造を通じて駆動可能に接続される。
さらに、前記第２取り外し可能な構造は前記取り外し可能なカニューレ部品上に配置される第２制限溝と前記器具本体上に配置される第２ボスを含む。
好ましくは、前記第２制限溝はＬ字形の制限溝である。
【００２０】
具体的には、前記Ｌ字形の制限溝は前記取り外し可能な内側カニューレ上に配置され、前記第２ボスは前記器具本体の固定的な内側カニューレ上に配置される。
さらに、前記固定的な内側カニューレと前記メスハンドルとが遠位端シールリングによって封止され、前記固定的な内側カニューレと前記取り外し可能なカニューレ部品とが近位端シールリングによって封止される。
さらに、前記遠位端シールリングはシリコーンリングである。
さらに、前記遠位端シールリングと前記メスハンドルとの封止接続箇所の一方にシャフトショルダーが設けられ、他方には周辺溝構造が設けられ、前記シャフトショルダーと前記周辺溝構造が緊密に係合される。
【００２１】
一実施形態では、前記固定的な内側カニューレの近位端に内側カニューレ固定部材が配置され、前記近位端シールリングは、内側カニューレ固定部材と外側カニューレ固定部材により挟まれるように内側カニューレ固定部材の溝に取り付けられる。
前記第１取り外し可能な構造、第２取り外し可能な構造については、上記の本願の第１態様および第２態様の説明と同様である。
【００２２】
前記取り外し可能なカニューレ部品の器具本体に対する着脱過程については、上記の本願の第１態様および第２態様の説明と大体同様であり、第１取り外し可能な構造により止まれまたは押されて、取り外し可能なカニューレ部品の器具本体に対する着脱中に、前記第１取り外し可能な構造の運動に従い、前記第２取り外し可能な構造が運動し、具体的には、前記第１取り外し可能な構造上の第１ボスが前記第１制限溝に入る直前に、前記第２取り外し可能な構造の前記第２ボスも前記Ｌ字形の制限溝に入る直前の状態にあり、前記第１取り外し可能な構造上の前記第１ボスがＴ字形の制限溝の水平溝と垂直溝の交差点に入ったときに、前記第２取り外し可能な構造の前記第２ボスも前記Ｌ字形の制限溝の水平溝と垂直溝の交差点に入った状態にあり、外側カニューレ固定部材が回転すると、前記第１取り外し可能な構造上の前記第１ボスが完全に前記Ｔ字形の制限溝の水平溝から垂直溝に入るまたは垂直溝から水平溝に入るときに、前記取り外し可能な内側カニューレも回転し、前記第２取り外し可能な構造の前記第２ボスも完全に前記Ｌ字形の制限溝の水平溝から垂直溝に入るまたは垂直溝から水平溝に入る。このとき、固定的な内側カニューレと取り外し可能な内側カニューレとが駆動可能に接続され、器具本体のカニューレ部品に対する駆動制御を実現することができる。取り外し可能なカニューレ部品を器具本体から取り外すときに、上記の過程と逆にすればよいので、ここに詳細に説明しない。
【００２３】
さらに、前記第２ボスは外側丸みボスまたは内側丸みボスである。
選択可能に、前記第１取り外し可能な構造と前記第２取り外し可能な構造は交換可能であり、すなわち、前記第１取り外し可能な構造は第２ボスと前記Ｌ字形の制限溝を含んでもよい。
選択可能に、前記第１ボスと前記Ｔ字形の制限溝の位置は逆にされてもよい。
選択可能に、前記第２ボスと前記Ｌ字形の制限溝の位置は逆にされてもよい。
本願の再使用可能な超音波手術器具によれば、カニューレ部品は器具本体に着脱可能に接続され、使用後に容易に取り外して洗浄され、重複に使用できるため、市場の主流の超音波手術器具が使用後容易に洗浄できず、重複に使用できない欠点を解決し、顕著に器具の使用コストを削減することができる。そして、従来技術と比較すると、構造が簡単で、着脱しやすく、使用コストが低い利点を有する。
【図面の簡単な説明】
【００２４】
【図１】カニューレ取り外し可能な超音波手術システムの模式図である。
【図２】本願の第１実施例による、カニューレ部品を器具本体から取り外した超音波手術器具の模式図である。
【図３】図２におけるカニューレ部品の構造模式図である。
【図４】図２におけるカニューレ部品が完全に器具本体に入らない状態のカニューレ部品および器具本体の接続模式図である。
【図５】図２における第１ボスがＴ字形の制限溝に入る直前の第１取り外し可能な構造の模式図である。
【図６】図２における第１ボスがＴ字形の制限溝の水平溝と垂直溝交差開口に入った第１取り外し可能な構造の模式図である。
【図７】図２における第１ボスがＴ字形の制限溝の垂直溝の半分の位置に入った第１取り外し可能な構造の模式図である。
【図８】図２における第１ボスがＴ字形の制限溝の垂直溝に入りストッパーによって止められる第１取り外し可能な構造の模式図である。
【図９】図２における第２ボスがＬ字形の制限溝に入る直前の第２取り外し可能な構造の模式図である。
【図１０】図２における第２取り外し可能な構造の模式図であり、第２ボスとＬ字形の制限溝の構造模式図である。
【図１１】図２における第２ボスがＬ字形の制限溝の水平溝に入った第２取り外し可能な構造の模式図である。
【図１２】図２における第２ボスがＬ字形の制限溝の垂直溝に入った第２取り外し可能な構造の模式図である。
【図１３】図２における超音波手術器具のカニューレ部品が器具本体に取り付られた構造断面図である。
【図１４】本願の第２実施例によるカニューレ部品を器具本体から取り外した超音波手術器具の模式図である。
【図１５】図１４におけるカニューレ部品の構造模式図である。
【図１６】図１４における固定的な内側カニューレの封止構造図である。
【図１７】図１４における第１ボスがＴ字形の制限溝に入る直前の第１取り外し可能な構造の模式図である。
【図１８】図１４における第１ボスがＴ字形限位軸方向溝と軸方向溝の交差開口に入った第１取り外し可能な構造の模式図である。
【図１９】図１４における第１ボスがＴ字形の制限溝軸方向溝の半分の位置に入った第１取り外し可能な構造の模式図である。
【図２０】図１４における第１ボスがＴ字形の制限溝軸方向溝に入りストッパーによって止められる第１取り外し可能な構造の模式図である。
【図２１】図１４における第２ボスがＬ字形の制限溝に入らない第２取り外し可能な構造の模式図である。
【図２２】図１４における第２ボスがＬ字形の制限溝に入った第２取り外し可能な構造の模式図である。
【図２３】図１４における第２ボスがＬ字形の制限溝軸方向溝に入った第２取り外し可能な構造の模式図である。
【図２４】図１４における第２ボスがＬ字形の制限溝軸方向溝に入った第２取り外し可能な構造の模式図である。
【発明を実施するための形態】
【００２５】
以下、発明の実施例における技術手段をあきらか、詳細に説明するが、説明する実施例は本願の一部に過ぎず、すべての実施例ではない。本願の実施例に基づいて、創造的な労働をせずに当業者によって得られた他の実施例はすべて本願の保護範囲に含まれる。
説明の便宜、本願の「近位端」とは、器具が操作者によって把持される時操作者に近い一端を指し、「遠位端」とは器具が操作者によって把持されるとき操作者から離れた一端を指す。
【００２６】
実施例１
図１〜１３は、本願の第１実施例によるカニューレ取り外し可能な超音波手術器具を説明する。
図１を参照して、本願によるカニューレ取り外し可能な超音波手術システムを示し、超音波周波数発生器１、トランスデューサー２と手術器具３を備える。その中に、超音波周波数発生器１は振動電気信号をトランスデューサー２に送信し、トランスデューサー２は振動電気信号を機械的振動に変換させ手術器具３に伝達し、手術器具３はトランスデューサー２の機械的振動により組織を切断または凝固させる。
【００２７】
図１及び図２を参照して、手術器具３は器具本体１４とカニューレ部品１５を含む。その中に、器具本体１４はトランスデューサー２の機械的振動をメスヘッド（メスハンドル頭部の切断箇所）に伝達するメスハンドル１６を含み、カニューレ部品１５はメスハンドル１６軸線に沿って前記器具本体１４に対して着脱可能である。図２ではカニューレ部品１５が器具本体１４から取り外された。
【００２８】
図３では本願によるカニューレ部品１５の詳細構造が示され、カニューレ部品１５は、遠位端に位置しメスヘッドとともにクランプ構造を構成するクランプ１５１、内側カニューレ１５２、外側カニューレ１５３、外側カニューレ固定部材１５４および内側カニューレ固定部材１５５を含む。その中に、前記内側カニューレ１５２、外側カニューレ１５３はすべて前記メスハンドル１６と同軸に配置される。前記外側カニューレ固定部材１５４と前記外側カニューレ１５３とは固定的に接続され、内前記カニューレ固定部材５５と前記内側カニューレ１５２とは固定的に接続され、固定接続方式として、各部品の材質に応じて共注入、接着、溶接または締り接続などの方式または当業者にとって公知の方式を選択すればよい。クランプ１５１は外側カニューレ１５３と第１回転軸１５７を介して回転可能に接続され、内側カニューレ１５２と第２回転軸１５６を介して回転可能に接続される。このように、外側カニューレ固定部材１５４が固定された後、内側カニューレ固定部材１５５を軸方向に沿って前後に引っ張ると、クランプ１５１を回転軸１５７を中心に回転させ、カニューレ部品１５を器具本体１４に装着した後、器具本体１４によりクランプ１５１のメスハンドル１６のメスヘッドに対する開閉動作を操作することができる。メスヘッドとクランプ１５１により組織をクランプしてクランプされた組織に対して超音波切断および止血を行い、カニューレ部品１５によりメスハンドル１６を外部から隔離してメスハンドルを保護する作用を果たす。
【００２９】
図４は、カニューレ部品１５が完全に器具本体１４に入らないカニューレ部品と器具本体の接続模式図であり、器具本体１４上のメスハンドル１６をカニューレ部品１５から露出するまで貫通する必要がある。
【００３０】
本願の一実施形態によれば、カニューレ部品１５の器具本体１４に対する着脱機能は、第１取り外し可能な構造３１および第２取り外し可能な構造３２によって実現される。その中に、第１取り外し可能な構造３１は、図５〜図８に示すように、第１取り外し可能な構造３１は器具本体１４とカニューレ部品１５の間を固定するための接続構造であり、器具本体１４とカニューレ部品１５を固定的に接続させ、第２取り外し可能な構造３２は、図９〜図１２に示すように、第２取り外し可能な構造３２は器具本体１４とカニューレ部品１５の駆動可能に接続する構造であり、器具本体１４のカニューレ部品１５のクランプ１５１に対する駆動制御を実現することができる。第２取り外し可能な構造３２と第１取り外し可能な構造３１とは同軸に配置され、メスハンドル１６の軸方向に沿って第１取り外し可能な構造３１に対して制限されて移動することができる。
【００３１】
図５〜８を参照して、本願の第１実施例のカニューレ取り外し可能な超音波手術器具において、第１取り外し可能な構造３１は、カニューレ部品１５の近位端に位置する第１ボス３１２、器具本体１４上に位置するＴ字形の制限溝３１１、ストッパー３１３および弾性部材３１４を含み、当業者は、第１ボスとＴ字形の制限溝３１１、ストッパー３１３および弾性部材３１４の位置を逆にすることを容易に想到することができ、すなわち、第１ボスは器具本体１４上に配置され、Ｔ字形の制限溝３１１、ストッパー３１３および弾性部材３１４はカニューレ部品１５上に配置されてもよい。
【００３２】
具体的には、器具本体１４のハウジング１４１上に固定ベース３１１０が配置され、前記Ｔ字形の制限溝３１１は固定ベース３１１０上に配置され、前記Ｔ字形の制限溝３１１はメスハンドルの縦軸に平行な水平溝３１１１、メスハンドルの縦軸に垂直な垂直溝３１１２を含み、前記第１ボス３１２は外側カニューレ固定部材１５４上に配置される。前記第１ボス３１２は前記Ｔ字形の制限溝の水平溝３１１１内に前記メスハンドルの軸線方向に沿って摺動でき、前記第１ボス３１２も前記Ｔ字形の制限溝の垂直溝３１１２内に前記メスハンドルの軸線に垂直な方向に沿って摺動でき、前記ストッパー３１３は前記Ｔ字形の制限溝の水平溝３１１１内に前記メスハンドルの軸線方向に沿って摺動できるが、前記ストッパー３１３は前記Ｔ字形の制限溝の垂直溝３１１２内に入ることができない。前記ストッパー３１３は前記弾性部材３１４に接続され、前記弾性部材３１４は前記Ｔ字形の制限溝の水平溝３１１１方向に沿う弾性力を提供でき、該弾性部材３１４の弾性力の作用下で前記ストッパーは初期状態下でＴ字形の制限溝の水平溝と垂直溝構造の交差点に位置する。図５を参照して、器具本体１４のハウジング１４１上に固定ベース３１１０が配置され、固定ベース３１１０上にダイアル３１３０および前記弾性部材３１４が取り付けられ、前記Ｔ字形の制限溝３１１は固定ベース３１１０上に配置され、前記ストッパー３１３はダイアル３１３０上に配置される。
【００３３】
図５〜８を参照して、その中に、図５では第１ボス３１２がＴ字形の制限溝３１１に入る直前の状態が示される。初期状態では、ストッパー３１３は弾性部材３１４の弾性力の作用下で、Ｔ字形の制限溝の水平溝３１１１と垂直溝３１１２構造の交差点に位置し、垂直溝３１１２の出口を閉鎖する。第１ボス３１２が外力の作用下でＴ字形の制限溝３１１の水平溝３１１１の内部へ継続的に摺動するときに、ストッパー３１３を押し弾性部材３１４の弾性力を打ち勝って水平溝３１１１内に摺動させる必要がある。図６では第１ボス３１２が水平溝３１１１と垂直溝３１１２の交差開口に入った時の状態が示され、このとき、外側カニューレ固定部材１５４が回転すると、第１ボス３１２を駆動してＴ字形の制限溝の垂直溝３１１２内に入り、図７ではこのような状態が示される。外側カニューレ固定部材１５４が継続的に回転すると、第１ボス３１２が完全に垂直溝３１１２内に入り、ストッパー３１３は弾性部材３１４の作用下で水平溝３１１１と垂直溝３１１２の交差開口に戻り、すなわち垂直溝３１１２の出口を閉鎖し第１ボス３１２が完全に垂直溝３１１２内に制限され、図８ではこの状態が示され、この時、外側カニューレ固定部材１５４は固定ベース３１１０上に固定され、カニューレ部品１５と器具本体１４とが第１取り外し可能な構造３１を通じて固定的に接続される。
【００３４】
カニューレ部品１５を器具本体１４から取り外すときに、通常図５〜図８の手順と逆に操作すればよい。まず、メスハンドルの軸線方向に沿って近位端へ弾性部材３１４の弾性力を打ち勝ってダイアル３１３０を引っ張ると、ストッパー３１３がＴ字形の制限溝３１１の水平溝３１１１と垂直溝３１１２の交差開口を開き、次に外側カニューレ固定部材１５４が回転すると、第１ボス３１２がＴ字形の制限溝３１１の垂直溝３１１２から水平溝３１１１に入り、その後カニューレ部品１５をメスハンドルの軸線方向に沿って器具本体１４から引き出し、第１ボス３１２が水平溝３１１１から離れて取り外し過程が完了する。この過程中に、第１ボス３１２が水平溝３１１１と垂直溝３１１２の交差開口から水平溝に沿って遠位端への移動に従い、ストッパー３１３は弾性部材３１４の弾性力の作用下で、水平溝３１１１と垂直溝３１１２の交差開口に戻る。
【００３５】
当業者にとっては、カニューレ部品１５の近位端および器具本体１４上に複数の第１取り外し可能な構造３１を配置して、好ましくは、複数の第１取り外し可能な構造３１をメスハンドル１６を中心に対称に配置してもよく、その発明を実施するための形態もすべて本願の保護範囲に含まれることを理解すべきである。
【００３６】
図９〜１２を参照して、本願の第１実施例のカニューレ取り外し可能な超音波手術器具において、第２取り外し可能な構造３２は、内側カニューレ固定部材１５５上に位置するＬ字形の制限溝３２１、器具本体１４上に位置する第２ボス３２２を含む。当業者は、第２ボスとＬ字形の制限溝の位置が逆にしてもよいことを容易に想到することができる。具体的には、器具本体１４上に駆動ベース３２２０が接続され、第２ボス３２２が該駆動ベース３２２０上に配置され、駆動ベース３２２０および第２ボス３２２は器具本体１４上の手動制御手段で駆動されメスハンドル１６の軸線方向に沿って前後に運動することができる。
【００３７】
図１０ではＬ字形の制限溝３２１と第２ボス３２２の詳細構造模式図が示され、同図から分かるように、内側カニューレ固定部材１５５上に複数のＬ字形の制限溝構造３２１が配置され、駆動ベース３２２０に複数の第２ボス３２２が配置される。
図９、１１、１２では第２取り外し可能な構造３２の取付過程が示され、第１取り外し可能な構造３１により止まれまたは押されて、カニューレ部品１５の器具本体１４に対する着脱過程中に、第１取り外し可能な構造３１の運動に従い、第２取り外し可能な構造３２が運動する。具体的には、図９に示すように、第１取り外し可能な構造３１上の第１ボス３１２がＴ字形の制限溝３１１に入る直前に、第２取り外し可能な構造３２の第２ボス３２２もＬ字形の制限溝３２１に入る直前の状態にある。図１１に示すように、第１取り外し可能な構造３１上の第１ボス３１２が完全にＴ字形の制限溝３１１の水平溝３１１１に入ったときに、第２取り外し可能な構造３２の第２ボス３２２も完全にＬ字形の制限溝３２１の水平溝に入った状態にある。図１２に示すように、外側カニューレ固定部材１５４が回転すると、第１取り外し可能な構造３１上の第１ボス３１２がＴ字形の制限溝３１１の垂直溝３１１２に入った時に、内側カニューレ固定部材１５５も回転し、第２取り外し可能な構造３２の第２ボス３２２も完全にＬ字形の制限溝３２１の垂直溝内に入った状態にある。このとき、内側カニューレ固定部材１５５と駆動ベース３２２０とが駆動可能に接続され、器具本体１４のカニューレ部品１５に対する駆動制御を実現する。カニューレ部品１５を器具本体１４から取り外すときに、上記の過程の逆にすればよく、詳細に説明しない。
【００３８】
当業者にとっては、第２取り外し可能な構造３２は１つまたは複数配置されてもよく、好ましくは、図１０に示すように、複数の第２取り外し可能な構造３２がメスハンドル１６を中心に対称に配置してもよく、その発明を実施するための形態はすべて本願の保護範囲内含まれることを理解すべきである。
【００３９】
図１３ではカニューレ部品１５が器具本体１４に取付された構造断面図が示され、同図から分かるように、外側カニューレ固定部材１５４と固定ベース３１１０とが第１取り外し可能な構造３１を通じて接続され、内側カニューレ固定部材１５５と駆動ベース３２２０とが第２取り外し可能な構造３２を通じて接続される。
【００４０】
実施例２
図１４〜２４では本願の第２実施例によるカニューレ取り外し可能な超音波手術器具が示される。
この実施例のカニューレ取り外し可能な超音波手術システムの全体構造は第１実施例システムと大体同様であり、図１に示すように、超音波周波数発生器１、トランスデューサー２と手術器具３を備える。その中に、超音波周波数発生器１は振動電気信号をトランスデューサー２に送信し、トランスデューサー２は振動電気信号を機械的振動に変換し手術器具３に伝達させ、手術器具３はトランスデューサー２の機械的振動により組織を切断または凝固させる。
【００４１】
図１４を参照して、手術器具３は器具本体２４と取り外し可能なカニューレ部品２５を含む。その中に、器具本体２４は固定的な内側カニューレ２６と超音波切断作用を実現するメスハンドル２７を含み、カニューレ部品２５はメスハンドル２７の軸線に沿って器具本体２４に対して着脱可能である。
【００４２】
図１５では前記カニューレ部品２５の詳細構造が示され、カニューレ部品２５の遠位端にメスヘッドとともにクランプ構造を構成するクランプ２５１、取り外し可能な内側カニューレ２５３および第１回転軸２５５が含まれる。カニューレ部品２５の近位端には外側カニューレ固定部材２５４が含まれ、カニューレ部品２５は近位端から遠位端まで延伸する外側カニューレ２５２をさらに含む。前記外側カニューレ２５２、取り外し可能な内側カニューレ２５３はすべて前記メスハンドル２７と同軸に配置される。前記外側カニューレ固定部材２５４と前記外側カニューレ２５２とは固定的に接続され、固定接続方式として各部品の材質に応じて共注入、接着、溶接または締り接続などの方式または当業者が公知する方式を選択すればよい。クランプ２５１と外側カニューレ２５２とが第１回転軸２５５を介して回転可能に接続され、取り外し可能な内側カニューレ２５３と第２回転軸２５１１を介して回転可能に接続される。このように、外側カニューレ固定部材２５４が固定された後、取り外し可能な内側カニューレ２５３を軸方向に沿って前後に引っ張ると、クランプ２５１を駆動して第１回転軸２５５を中心に回転させ、カニューレ部品２５の器具本体２４への装着を実現し、その後器具本体２４によってクランプ２５１のメスハンドル２７のメスヘッドに対する開閉動作を操作することができる。メスハンドル２７のメスヘッドとクランプ２５１とにより組織をクランプしてクランプされた組織に対して超音波切断および止血を行い、取り外し可能な外側カニューレ部品２５はメスハンドル２７を外部から隔離してメスハンドル２７を保護する作用を果たす。
【００４３】
図１６では固定的な内側カニューレ２６とメスハンドル２７および固定的な内側カニューレ２６と取り外し可能なカニューレ部品２５の間の封止構造図が示される。その中に、固定的な内側カニューレ２６は、固定的に接続された内側カニューレ２６１と内側カニューレ固定部材２６２を含む。固定接続方式として各部品の材質に応じて共注入、接着、溶接または締り接続などの方式または当業者が公知する方式を選択すればよい。固定的な内側カニューレ２６とメスハンドル２７とが遠位端シールリング２６３によって封止され、前記遠位端シールリング２６３はゴム硬化などによりメスハンドル２７上に固定的に接続されてもよく、内側カニューレ２６１上に固定的に接続されてもよい。好ましくは、メスハンドル２７の外表面にシャフトショルダー２７１を配置し、遠位端シールリング２６３の内表面に周辺溝２６３１を配置し、前記シャフトショルダー２７１と前記周辺溝２６３１とを緊密に係合させる。固定的な内側カニューレ２６と取り外し可能なカニューレ部品２５の封止は近位端シールリング２６４によって実現され、具体的には、前記内側カニューレ固定部材２６２を前記固定的な内側カニューレ２６の近位端に配置し、該内側カニューレ固定部材２６２上にスクロール溝２６２１が配置され、近位端シールリング２６４が前記スクロール溝２６２１中に位置し、クランプ２５１の開閉機能により、前記近位端シールリング２６４が前記外側カニューレ固定部材２５４と内側カニューレ固定部材２６２の隙間内に転がり、摺動による近位端シールリング２６４の摩耗を避けることができる。
【００４４】
本願の一実施形態によれば、器具本体２４と取り外し可能なカニューレ部品２５間の着脱機能は第１取り外し可能な構造４１および第２取り外し可能な構造４２を通じて実現される。その中に、第１取り外し可能な構造４１は、図１７〜図２０に示すように、前記第１取り外し可能な構造４１は器具本体２４とカニューレ部品２５の間を固定するための接続構造であり、器具本体２４とカニューレ部品２５を固定的に接続させ、第２取り外し可能な構造４２は、図２１〜図２４に示すように、第２取り外し可能な構造４２は器具本体２４とカニューレ部品２５を駆動可能に接続する構造であり、器具本体２４のカニューレ部品２５のクランプ２５１に対する駆動制御を実現することができる。第２取り外し可能な構造４２は第１取り外し可能な構造４１と同軸に配置され、メスハンドルの軸方向に沿って第１取り外し可能な構造４１に対して制限されて移動する。
【００４５】
図１７〜２０を参照して、本願の第２実施例のカニューレ取り外し可能な超音波手術器具において、第１取り外し可能な構造４１は、取り外し可能なカニューレ部品２５の近位端の第１ボス４１２、器具本体上に位置するＴ字形の制限溝４１１、ストッパー４１３および弾性部材４１４を含む。当業者は、第１ボスとＴ字形の制限溝４１１およびストッパー４１３の位置を逆にしてもよく、すなわち第１ボスを器具本体４上に配置し、Ｔ字形の制限溝４１１、ストッパー４１３および弾性部材２８を取り外し可能なカニューレ部品２５上に配置してもよいことを容易に想到することができる。
【００４６】
具体的には、器具本体２４のハウジング２４１上に固定ベース２１０が配置され、前記Ｔ字形の制限溝４１１が固定ベース２１０上に配置され、前記Ｔ字形の制限溝４１１は、メスハンドルの縦軸に平行な水平溝４１１１、メスハンドルの縦軸に垂直な垂直溝４１１２を含み、前記第１ボス４１２が外側カニューレ固定部材２５４上に配置される。前記第１ボス４１２は前記Ｔ字形の制限溝の水平溝４１１１内に前記メスハンドルの軸線方向に沿って摺動でき、前記第１ボス４１２も前記Ｔ字形の制限溝の垂直溝４１１２内に前記メスハンドルの軸線に垂直な方向に沿って摺動でき、前記ストッパー４１３が前記Ｔ字形の制限溝の水平溝４１１１内に前記メスハンドルの軸線方向に沿って摺動できるが、前記ストッパー４１３は前記Ｔ字形の制限溝の垂直溝４１１２内に入ることができない。前記ストッパー４１３が弾性部材２８に接続され、前記弾性部材２８は前記Ｔ字形の制限溝の水平溝４１１１方向に沿う弾性力を提供でき、該弾性部材８の弾性力の作用下で前記ストッパーは初期状態下でＴ字形の制限溝の水平溝と垂直溝構造の交差点に位置する。図１７を参照して、器具本体２４のハウジング２４１上に固定ベース２１０が配置され、固定ベース２１０上にダイアル２１１が取り付けられ、前記Ｔ字形の制限溝４１１が固定ベース２１０上に配置され、前記ストッパー４１３がダイアル２１１上に配置される。
【００４７】
図１７〜２０を参照して、その中に、図１７では第１ボス４１２がＴ字形の制限溝４１１に入る直前の状態が示される。初期状態で、ストッパー４１３が弾性部材２８の弾性力の作用下で、Ｔ字形の制限溝の水平溝４１１１と垂直溝４１１２構造の交差点に位置し、垂直溝４１１２の出口を閉鎖する。第１ボス４１２が外力の作用下でＴ字形の制限溝４１１の水平溝４１１１内部に継続的に摺動する時に、ストッパー４１３を押して弾性部材２８の弾性力を打ち勝って水平溝４１１１内に摺動する必要がある。図１８では第１ボス４１２が水平溝４１１１と垂直溝４１１２の交差開口に入った状態が示され、このとき外側カニューレ固定部材２５４が回転すると、第１ボス３１２を駆動してＴ字形の制限溝の垂直溝４１１２内に入り、図１９ではこの状態が示される。外側カニューレ固定部材２５４が継続的に回転すると、第１ボス４１２が完全に垂直溝４１１２内に入り、ストッパー４１３が弾性部材８の作用下で水平溝４１１１と垂直溝４１１２の交差開口に戻り、すなわち垂直溝４１１２の出口を閉鎖し第１ボス４１２が完全に垂直溝４１１２内に制限されて、図２０ではこの状態が示され、このとき外側カニューレ固定部材２５４が固定ベース２１０上に固定され、カニューレ部品２５と器具本体２４とが第１取り外し可能な構造４１を通じて固定的に接続される。
【００４８】
カニューレ部品２５を器具本体２４から取り外すときに、通常図１７〜図２０の手順と逆に操作すればよい。まず、メスハンドルの軸線方向に沿って近位端へ弾性部材２８の弾性力を打ち勝ってダイアル２１１を引っ張ると、ストッパー４１３がＴ字形の制限溝４１１の水平溝４１１１と垂直溝４１１２の交差開口を開き、次に外側カニューレ固定部材２５４が回転すると、第１ボス４１２がＴ字形の制限溝４１１の垂直溝４１１２から水平溝４１１１に入り、その後カニューレ部品２５をメスハンドルの軸線方向に沿って器具本体２４から引き出し、第１ボス４１２が水平溝４１１１から離れて取り外し過程が完了する。この過程中に、第１ボス４１２が水平溝４１１１と垂直溝４１１２の交差開口から水平溝に沿って遠位端への移動に従い、ストッパー４１３は弾性部材２８の弾性力の作用下で、水平溝４１１１と垂直溝４１１２の交差開口に戻る。
【００４９】
当業者にとっては、メスハンドル２７を中心に複数の第１取り外し可能な構造４１を配置しても、その発明を実施するための形態はすべて本願の保護範囲内に含まれることを理解すべきである。
【００５０】
図２１〜２４を参照して、本願の第２実施例のカニューレ部品取り外し可能な超音波手術器具において、第２取り外し可能な構造４２は、取り外し可能な内側カニューレ２５３上に位置するＬ字形の制限溝４２１、器具本体２４の固定的な内側カニューレ２６１上に位置する第２ボス４２２を含む。当業者は、第２ボスとＬ字形の制限溝の位置を逆にすることを容易に想到することができる。
【００５１】
図２１ではＬ字形の制限溝４２１と第２ボス４２２の詳細構造模式図が示され、同図で１つのＬ字形の制限溝構造４２１および１つの第２ボス４２２が示される。もう１つの実施形態では、取り外し可能な内側カニューレ２５３上に２つまたは複数のＬ字形の制限溝構造４２１が配置され、それに応じて、器具本体２４の固定的な内側カニューレ２６１上にも２つまたは複数の第２ボス４２２が配置される。
【００５２】
図２２、２３、２４では第２取り外し可能な構造４２の取付過程が示され、第１取り外し可能な構造４１により止まれまたは押されて、カニューレ部品２５の器具本体２４に対する着脱過程中に、第１取り外し可能な構造４１の運動に従い第２取り外し可能な構造４２が運動する。具体的には、図２２に示すように、第１取り外し可能な構造４１上の第１ボス４１２がＴ字形の制限溝４１１に入る直前に、第２取り外し可能な構造４２の第２ボス４２２もＬ字形の制限溝４２１に入る直前の状態にある。図２３に示すように、第１取り外し可能な構造４１上の第１ボス４１２が完全にＴ字形の制限溝４１１の水平溝４１１１に入ったときに、第２取り外し可能な構造４２の第２ボス４２２も完全にＬ字形の制限溝４２１の水平溝に入った。図２４に示すように、外側カニューレ固定部材２５４が回転すると、第１取り外し可能な構造４１上の第１ボス４１２が完全にＴ字形の制限溝４１１の垂直溝４１１２に入ったときに、取り外し可能な内套２５３も回転し、第２取り外し可能な構造４２の第２ボス４２２も完全にＬ字形の制限溝４２１の垂直溝４２１１内に入った。このとき、固定的な内側カニューレ２６１と取り外し可能な内側カニューレ２５３とが駆動可能に接続され、器具本体２４のカニューレ部品２５に対する駆動制御を実現することができる。カニューレ部品２５を器具本体２４から取り外すときに、上記の過程と逆にすればよく、ここに詳細に説明しない。
【００５３】
当業者にとっては、第２取り外し可能な構造４２が１つまたは複数配置されてもよく、好ましくは、複数の第２取り外し可能な構造４２がメスハンドル２７を中心に対称に配置されてもよく、その発明を実施するための形態はすべて本願の保護範囲内含まれることを理解すべきである。
【００５４】
なお、図中の実施形態は本願の代表的な実施例に過ぎず、当業者は、本願の保護範囲が図面の実施形態によって定義された範囲のみに限定されなく、図面の実施形態の組み合わせ、変形、および変更はすべて本願の保護範囲内に含まれることを容易に理解できることに留意されたい。
【００５５】
本願によるカニューレ部品取り外し可能な超音波手術器具は、市場の主流の超音波手術器具が使用後容易に洗浄できず、重複に使用できない欠点を解決し、顕著に器具の使用コストを削減することができる。そして、従来技術と比較すると、本願のカニューレ部品取り外し可能な超音波手術器具では、再使用可能な部材が多くなり使用コストをさらに削減でき、且つ使用しやすさ、全体構造の信頼性、プロセスの便利性も向上する。要するに、本願は従来技術と比較すると構造が簡単で、着脱しやすく、コストが低い利点を有する。
上記に開示されたものは本願のいくつかの好適な実施例に過ぎず、本願の範囲はこれらに限定されるものではなく、本願の精神を逸脱しない限りなされたすべての等価変更も本願の範囲に含まれる。
【図１】
2021507796.tif 000003
【図２】
2021507796.tif 000004
【図３】
2021507796.tif 000005
【図４】
2021507796.tif 000006
【図５】
2021507796.tif 000007
【図６】
2021507796.tif 000008
【図７】
2021507796.tif 000009
【図８】
2021507796.tif 000010
【図９】
2021507796.tif 000011
【図１０】
2021507796.tif 000012
【図１１】
2021507796.tif 000013
【図１２】
2021507796.tif 000014
【図１３】
2021507796.tif 000015
【図１４】
2021507796.tif 000016
【図１５】
2021507796.tif 000017
【図１６】
2021507796.tif 000018
【図１７】
2021507796.tif 000019
【図１８】
2021507796.tif 000020
【図１９】
2021507796.tif 000021
【図２０】
2021507796.tif 000022
【図２１】
2021507796.tif 000023
【図２２】
2021507796.tif 000024
【図２３】
2021507796.tif 000025
【図２４】
2021507796.tif 000026
【国際調査報告】
2021507796.tif 000027
2021507796.tif 000028
2021507796.tif 000029
2021507796.tif 000030